(57)【要約】      （修正有）【課題】本考案は、電源モジュールの設計によってモバイル通信装置に給電するモバイル電源及びその保護ケースを提供する。【解決手段】本考案に係るモバイル電源１０は、収容部及び第一接続部を備えると共に収容部に着脱可能に配置されたモバイル通信装置を保護する保護ケースに適用される。モバイル電源１０は、カバー部１００２と、第二接続部Ｃ２と、カバー部１００２と第二接続部Ｃ２との間に接続された折りたたみ部１００４と、を有するカバー板モジュール１００と、カバー板モジュール１００に設置された電源モジュール１０２と、を備える。カバー板モジュール１００は保護ケースと組み合わせる。【選択図】図１
0003204463.tif 000002
【実用新案登録請求の範囲】
【請求項１】
収容部及び第一接続部を備えると共に前記収容部に着脱可能に配置されたモバイル通信装置を保護する保護ケースに適用されるモバイル電源であって、
カバー部と、第二接続部と、前記カバー部と前記第二接続部との間に接続された折りたたみ部と、を有するカバー板モジュールと、
前記カバー板モジュールに設置された電源モジュールと、
を備え、
前記カバー板モジュールは前記保護ケースと組み合わせることを特徴とするモバイル電源。
【請求項２】
前記電源モジュールは、
制御ユニットと、
前記カバー部に設置されたバッテリーユニットと、
前記第二接続部に電気的に接続されたスイッチユニットと、
前記バッテリーユニットと、前記制御ユニットと、前記スイッチユニットとに電気的に接続された変換ユニットと、
を含むことを特徴とする請求項１に記載のモバイル電源。
【請求項３】
前記変換ユニットは、直流−直流変換器であり、
前記スイッチユニットは少なくとも一つのトランジスタであり、
前記制御ユニットは前記スイッチユニットのオン・オフを制御することを特徴とする請求項２に記載のモバイル電源。
【請求項４】
前記第一接続部と前記第二接続部のそれぞれは、マグネット付着部材を備え、互いに結合される電気接続ポートであることを特徴とする請求項１に記載のモバイル電源。
【請求項５】
前記第二接続部は、通電される際に前記第一接続部と互いに引き付け合うための磁力を生成する磁石であることを特徴とする請求項４に記載のモバイル電源。
【請求項６】
前記カバー部は、前記収容部を覆い、前記折りたたみ部で前記収容部に対向する対向位置である保護カバー位置に回転され、
前記カバー板モジュールと前記保護ケースとは組み合わされて、保護カバーを備えたスマートフォン保護ケースとなることを特徴とする請求項１に記載のモバイル電源。
【請求項７】
前記折りたたみ部は前記モバイル通信装置の厚さよりも大きい幅を備え、
前記カバー部は前記折りたたみ部で回転して前記収容部を覆うことを特徴とする請求項１に記載のモバイル電源。
【請求項８】
前記変換ユニット又は前記バッテリーユニットに電気的に接続され、前記バッテリーユニットの残量情報を表示する表示モジュールをさらに含むことを特徴とする請求項２に記載のモバイル電源。
【請求項９】
モバイル通信装置に装着される保護ケースであって、
前記モバイル通信装置を収容する収容部と、
前記収容部と組み合わせる請求項１に記載のモバイル電源と、
を含むことを特徴とする保護ケース。
【請求項１０】
前記保護ケースの外スリーブであり、前記収容部と接続された底板部を更に含み、
前記外スリーブの内部にはフレキシブル回路基板が前記第一接続部に延伸され、前記フレキシブル回路基板の末端が前記第一接続部に電気的に接続されることを特徴とする請求項９に記載の保護ケース。
【請求項１１】
前記収容部は、
前記収容部の内側に設置される出力インターフェイスと、
前記収容部の外側に設置される外部電源インターフェイスと、
を備え、
前記フレキシブル回路基板は前記出力インターフェイスに電気的に接続されていることを特徴とする請求項１０に記載の保護ケース。
【請求項１２】
前記第二接続部と前記第一接続部とが組み合わされた後、前記電源モジュールは前記モバイル通信装置に給電することを特徴とする請求項１１に記載の保護ケース。
【考案の詳細な説明】
【技術分野】
【０００１】
本考案は、モバイル電源（Ｐｏｗｅｒ  Ｂａｎｋ）及びその保護ケースに関するものであり、特に、モバイル通信装置に適用されるモバイル電源及びその保護ケースに関するものである。
【背景技術】
【０００２】
市販されているモバイル電源は主に、モバイル電源の本体内に設置されたバッテリー及び制御回路基板と、本体に配置された少なくとも一つのＵＳＢ（ユニバーサルシリアルバス）伝送インターフェースとからなる。充電する際、バッテリー内に蓄積された電気エネルギーが制御回路基板によって適正の電圧と電流に変換され、ＵＳＢ伝送インターフェイスを介してユーザーのモバイル装置に提供される。スマートフォン及びタブレット等のモバイル装置に関する市場が大きく成長を続けることに伴い、モバイル装置もマルチコア化とディスプレーの大型化に向けて発展するため、電力の消費量は明らかに増大すると共に、ここ数年、市場におけるモバイル電源に対する需要も刺激されて大きく成長するであろう。
【０００３】
しかしながら、スマートフォンもタブレットも、このようなモバイル電源を使用するために、別に用意された電力を伝送する電源伝送線が必要となる。また、電力を使い終わった時、このようなモバイル電源は別に用意された充電コンバーターによって電力が補充される。即ち、外出の際、ユーザーはモバイル電源と、電源伝送線と、充電コンバーターとを一緒に持ち歩く必要があり、使用する際の面倒さと持ち歩く際の不便さとがある。
【考案の概要】
【考案が解決しようとする課題】
【０００４】
本考案は、電源モジュールの設計によってモバイル通信装置へ給電するモバイル電源及びその保護ケースを提供する。
【課題を解決するための手段】
【０００５】
本考案は、保護ケースに適用されるモバイル電源を提供する。保護ケースは、収容部及び第一接続部を備えており、収容部に着脱可能に配置されたモバイル通信装置を保護する。モバイル電源は、カバー板モジュール及び電源モジュールを含む。カバー板モジュールは、カバー部と、第二接続部と、当該カバー部と当該第二接続部との間に接続された折りたたみ部と、を有する。電源モジュールはカバー板モジュールに設置される。カバー板モジュールは保護ケースと組み合わせる。
【０００６】
本考案は、モバイル通信装置に装着される保護ケースを提供する。保護ケースは収容部及びモバイル電源を含む。収容部はモバイル通信装置を収容する。モバイル電源は収容部と組み合わせる。
【考案の効果】
【０００７】
本考案の具体的な実施形態は、モバイル電源及びその保護ケースを利用し、電源モジュールの設計によってモバイル通信装置へ給電する。そして、スマートフォンは保護ケースによって覆われることにより、モバイル通信装置は優れた保護効果が得られる。本考案はモバイル電源及びその保護ケースの操作利便性、効率、品質を確実に向上する効果がある。
【図面の簡単な説明】
【０００８】
【図１】本考案に係る実施例におけるモバイル電源の模式図である。
【図２】図１に基づく本考案に係る他の実施例におけるモバイル電源と保護ケースの模式図である。
【図３】図２に基づく本考案に係る実施例におけるモバイル電源と保護ケースの機能ブロック図である。
【図４】上記の本考案に係る他の実施例におけるモバイル電源と保護ケースの模式図である。
【考案を実施するための形態】
【０００９】
図１は本考案に係る実施例におけるモバイル電源の模式図である。図１に示されたように、モバイル電源１０はカバー板モジュール１００及び電源モジュール１０２を含む。説明の便宜上、本実施例に係るモバイル電源１０を例えばスマートフォンなどの保護ケースの保護カバー板として説明する。カバー板モジュール１００はカバー部１００２と、折りたたみ部１００４と、第二接続部Ｃ２とを備える。折りたたみ部１００４はカバー部１００２と第二接続部Ｃ２との間に接続される。カバー板モジュール１００は、スマートフォンの保護ケース（図示せず）の上カバー板であり、モバイル通信装置（図示せず）のタッチパネル面又はディスプレイ面を覆う。カバー板モジュール１００の態様は本実施例によって制限されない。
【００１０】
折りたたみ部１００４は幅Ｗ１を有する。幅Ｗ１はモバイル通信装置の厚さ（図示せず）よりも大きいものとする。カバー部１００２はモバイル通信装置（図示せず）のタッチパネル面又はディスプレイ面を覆う。カバー部１００２の面積は折りたたみ部１００４の面積よりも大きいものとする。そして、折りたたみ部１００４はカバー部１００２とスマートフォン保護ケースとの間に接続されるヒンジ構造又は折りたたみ構造である。第二接続部Ｃ２はスマートフォンの保護ケースに嵌め込むか又は接続する接続構造である。カバー部１００２、折りたたみ部１００４、第二接続部Ｃ２の態様は本実施例によって制限されない。
【００１１】
電源モジュール１０２はカバー板モジュール１００に設置される。電源モジュール１０２はカバー部１００２の内部に設置される。電源モジュール１０２は電力を出力し、又は充電電力を受電する。電源モジュール１０２は少なくとも一つのバッテリーによって実現される。そして、少なくとも一つのバッテリーは変換回路、スイッチ回路、制御回路のいずれか一つ又はその組み合わせと接続しても良い。電源モジュール１０２の態様は本実施例によって制限されない。
【００１２】
第二接続部Ｃ２はマグネット付着部材を有する電気接続ポートである。本実施例の第二接続部Ｃ２は電力を伝送する接続ポートである。第二接続部Ｃ２は、通電される際に第一接続部（図示せず）と互いに引き付け合うための磁力を生成する磁石である。他の実施例において、第二接続部Ｃ２はデータ及び／又は電力を伝送する接続ポートであってもよい。第二接続部Ｃ２の態様は本実施例によって制限されない。
【００１３】
図２は図１に基づく本考案に係る他の実施例におけるモバイル電源と保護ケースの模式図である。図２を参照する。モバイル電源１０は保護ケース２０に付けられる。保護ケース２０はモバイル通信装置９を保護する。保護ケース２０は収容部２００及び第一接続部Ｃ１を有する。モバイル通信装置９は着脱できるように収容部２００に配置される。モバイル通信装置９は、スマートフォン、タブレット又はパーソナル・デジタル・アシスタント（ＰＤＡ）などであってもよい。説明の便宜上、本実施例において、モバイル通信装置９はスマートフォンとする。本実施例において、モバイル通信装置９の態様は制限されない。
【００１４】
カバー部１００２は折りたたみ部１００４で回転され、収容部２００を覆う。カバー部１００２は収容部２００を覆い、折りたたみ部１００４で回転されて保護カバー位置に移動される。この保護カバー位置はカバー部１００２が収容部２００に対向する対向位置である。カバー板モジュール１００は保護ケース２０と組み合わせる。カバー板モジュール１００と保護ケース２０を組み合わせると、保護カバーを備えるスマートフォン保護ケース１になる。
【００１５】
即ち、カバー部１００２はスマートフォンのタッチパネル面を覆う際、折りたたみ部１００４はスマートフォンの側辺に配置される。折りたたみ部１００４の幅Ｗ１（図１の水平状態のように）はスマートフォンの厚さよりも大きいものである。スマートフォンのタッチパネル面がカバー部１００２によって覆われず露出される場合、保護ケース２０から延伸してカバー部１００２に接続されている折りたたみ部１００４で、カバー部１００２を保護ケース２０に対向する位置から回転させる。即ち、カバー部１００２は折りたたみ部１００４によってスマートフォンのタッチパネル面を覆ったり露出させたりする。
【００１６】
また、カバー板モジュール１００及び保護ケース２０はそれぞれナノマテリアル材料、環境保護対応材料、プラスチック材料、皮革、布、紙、金属、又はその他の鉱物材料のいずれか一つまたはその組み合わせである。カバー板モジュール１００及び保護ケース２０は衝撃吸収と、埃、衝撃、衝突、水、傷や摩耗等を防止する効果を有する。埃、汚れがスマートフォンの挿入孔又は接続ポートに入らなくなることによって、埃、汚れの蓄積によって挿入孔又は接続ポートが壊れることが回避される。
【００１７】
カバー板モジュール１００と保護ケース２０を組み合わせることでスマートフォンのスマートフォン保護ケース１になる。電源モジュール１０２はカバー板モジュール１００に配置され、第一接続部Ｃ１及び第二接続部Ｃ２の嵌め合わせによって、スマートフォンに電力を提供する。従って、スマートフォン保護ケース１はスマートフォンを充電できるようになる。
【００１８】
保護ケース２０は底板部２０１と、収容部２００と、第一接続部Ｃ１とを備える。第一接続部Ｃ１は底板部２０１に設置される。収容部２００は底板部２０１に結合されている。保護ケース２０はスマートフォン保護ケース１のスリーブケースである。収容部２００はスマートフォンを収容し、スマートフォンの形態に応じてカメラレンズ用開口部構造と、スマートフォンボタン用開口部構造と、充電用開口部構造と、又はその他の開口部構造等が配置されている。保護ケース２０の態様は本実施例によって制限されない。
【００１９】
底板部２０１は保護ケース２０の外スリーブである。フレキシブル回路基板ＦＰは外スリーブの内部から第一接続部Ｃ１まで延伸される。フレキシブル回路基板ＦＰの末端は第一接続部Ｃ１に電気的に接続される。他の実施例において、第一接続部Ｃ１は収容部２００の外側の任意箇所に設置されてよく、モバイル電源１０と収容部２００と組み合わせることで保護カバーを備えるスマートフォン保護ケース１になる。当業者は、自由に第一接続部Ｃ１の配置位置を設計することができる。
【００２０】
第二接続部Ｃ２は第一接続部Ｃ１に電気的に接続される。本実施例の第二接続部Ｃ２と第一接続部Ｃ１はそれぞれマグネット付着部材を備える。第二接続部Ｃ２と第一接続部Ｃ１のそれぞれはマグネット付着結合に対応する電気接続ポートである。第二接続部Ｃ２は、通電される際に第一接続部Ｃ１と互いに引き付け合うための磁力を生成する磁石である。
【００２１】
第二接続部Ｃ２と第一接続部Ｃ１は係合、挿入、マグネット付着またはその他の方式を介して接続できる。第二接続部Ｃ２と第一接続部Ｃ１が電気的に接続されると、電源モジュール１０２の電力は第二接続部Ｃ２と第一接続部Ｃ１を介してスマートフォンに伝送される。即ち、第二接続部Ｃ２を第一接続部Ｃ１と組み合わせた後、電源モジュール１０２はスマートフォンに給電できるようになる。第二接続部Ｃ２と第一接続部Ｃ１の態様は本実施例によって制限されない。
【００２２】
カバー板モジュール１００と保護ケース２０が分離されて接続されていない状態においては、カバー板モジュール１００は独立したモバイル電源として使用できる。カバー板モジュール１００と保護ケース２０が接続されている状態においては、カバー板モジュール１００はスマートフォンの保護カバーとして使用できる。カバー板モジュール１００と保護ケース２０はスマートフォンを被覆したり、又はスマートフォンのタッチパネル面を露出したりすることができる。電源モジュール１０２の充電電力が第二接続部Ｃ２と第一接続部Ｃ１を介してスマートフォンに伝送されることによって、カバー板モジュール１００はスマートフォンのモバイル電源（Ｐｏｗｅｒ  Ｂａｎｋ）として使用できる。
【００２３】
収容部２００は出力インターフェイス２００２及び外部電源インターフェイス２００４を備える。出力インターフェイス２００２は収容部２００の内側に設置される。外部電源インターフェイス２００４は収容部２００の外側に設置される。フレキシブル回路基板ＦＰは出力インターフェイス２００２に電気的に接続される。フレキシブル回路基板ＦＰが第一接続部Ｃ１と出力インターフェイス２００２との間に電気的に接続されることによって、第一接続部Ｃ１からスマートフォンへの電力伝送経路が構築される。従って、保護カバーのようなモバイル電源１０は保護ケース２０と組み合わせた後、スマートフォンに給電できる。
【００２４】
ユーザーが外部電源インターフェイス２００４を商用電源に電気的に接続させることによって、商用電源はスマートフォン及びモバイル電源１０のいずれか一つ又はその組み合わせに使用できる電力に変換され、スマートフォン及びモバイル電源１０のいずれか一つ又はその組み合わせに対して充電できる。本実施例のスマートフォン保護ケース１は同時にマートフォン及びモバイル電源１０のいずれか一つ又はその組み合わせに対して充電できる。
【００２５】
本実施例において、「カバー板モジュール１００と保護ケース２０を組み合わせると、保護カバーを備えたスマートフォン保護ケース１となる」ことを一例として説明しているが、他の実施例においては、カバー板モジュール１００と保護ケース２０とは分離不可能なようにしてもよい。即ち、カバー板モジュール１００と保護ケース２０は一体化されたスマートフォン保護ケース１であり、着脱不可能なようになる。カバー板モジュール１００と保護ケース２０の態様は本実施例によって制限されない。
【００２６】
図３は図２に基づく本考案に係る他の実施例におけるモバイル電源と保護ケースの機能ブロック図である。図３を参照する。図３に示された電源モジュール１０２は、バッテリーユニット１０２０と、変換ユニット１０２２と、スイッチユニット１０２４と、制御ユニット１０２６とを備える。バッテリーユニット１０２０はカバー部１００２に設置される。変換ユニット１０２２は、バッテリーユニット１０２０と、制御ユニット１０２６と、スイッチユニット１０２４とに電気的に接続される。スイッチユニット１０２４は第二接続部Ｃ２に電気的に接続される。
【００２７】
バッテリーユニット１０２０はリチウム電池、ニッケル水素電池、ニッケルカドミウム電池、又はその他のバッテリーによって実現できる。変換ユニット１０２２は直流−直流変換回路であり、直流昇圧回路、直流降圧回路または直流昇降圧回路のいずれか一つによって実現される。制御ユニット１０２６は制御回路、処理回路、判断回路、またはスイッチ回路の何れかによって実現する。スイッチユニット１０２４は少なくとも一つのトランジスタであり、そのオン・オフは制御ユニット１０２６によって制御される。即ち、制御ユニット１０２６はバッテリーユニット１０２０と第二接続部Ｃ２との間の給電回路のオン・オフを制御する。バッテリーユニット１０２０、変換ユニット１０２２、スイッチユニット１０２４及び制御ユニット１０２６の態様は本実施例によって制限されない。
【００２８】
また、他の実施例において、電源モジュール１０２はさらに保護ユニット（図示せず）を含むようにしてもよい。保護ユニットは、電圧安定化回路、フィルター回路、過充電保護回路、過電流保護回路又は過電圧保護回路によって実現される。当業者は、自由に保護ユニット及び電源モジュール１０２を設計することができる。
【００２９】
本実施例の電源モジュール１０２の動作はスマートフォン保護ケース１と組み合わせる前と、組み合わせた後とに分けて区別される。スマートフォン保護ケース１と組み合わせる前の場合、カバー板モジュール１００と保護ケース２０のそれぞれは独立的に動作するモジュールである。第二接続部Ｃ２と第一接続部Ｃ１は接続されていない。ユーザーはカバー板モジュール１００単体を使用する場合、外部電源を用いて第二接続部Ｃ２を介してバッテリーユニット１０２０に対して充電を行う。この場合、制御ユニット１０２６は外部電源がバッテリーユニット１０２０の電力仕様を満たしていると判断すると、制御ユニット１０２６は第二接続部Ｃ２とバッテリーユニット１０２０との間の充電回路がオンになるように制御する。
【００３０】
スマートフォン保護ケース１と組み合わせた後の場合、カバー板モジュール１００と保護ケース２０とは一緒に動作するモジュールとして一体化される。第二接続部Ｃ２と第一接続部Ｃ１が接続された後、電源モジュール１０２の動作はスマートフォン保護ケース１が外部電源に接続されているか否かによって区別される。即ち、電源モジュール１０２の動作は、保護ケース２０の外部電源インターフェイス２００４が外部電源に電気的に接続されているか否かによって区別される。
【００３１】
外部電源インターフェイス２００４が外部電源に電気的に接続されていない場合、第二接続部Ｃ２から第一接続部Ｃ１及び変換回路２００６を介した出力インターフェイス２００２への給電回路がオンになることによって、バッテリーユニット１０２０はスマートフォンに対して充電を行う。また、スマートフォン保護ケース１がスイッチボタン（図示せず）または切り替えスイッチ（図示せず）を備えるように設計してもよい。第二接続部Ｃ２と第一接続部Ｃ１が接続された後、ユーザーがスイッチボタンを押す、又はスイッチを切り替えることによってバッテリーユニット１０２０をスマートフォンに対して充電を開始させる。電源モジュール１０２の動作態様は本実施例によって制限されない。
【００３２】
そして、外部電源インターフェイス２００４が外部電源に電気的に接続されると、外部電源インターフェイス２００４と出力インターフェイス２００２との間の給電回路がオンになることによって、外部電源が変換回路２００６による変換・電圧安定化を経て、スマートフォンに給電される。あるいは、外部電源インターフェイス２００４と第一接続部Ｃ１との間の給電回路がオンになることによって、外部電源の電力が変換回路２００６による変換・電圧安定化を経て、バッテリーユニット１０２０に給電されるようにしてもよい。即ち、外部電源は外部電源インターフェイス２００４を介してスマートフォン及びバッテリーユニット１０２０のいずれか一つ又はその組み合わせに対して充電する。
【００３３】
即ち、カバー板モジュール１００に内蔵されたバッテリーユニット１０２０がユーザーによって独立的に使用される場合、カバー板モジュール１００は独立したモバイル電源として使用されることが可能であり、又は外部電源によって直接的にバッテリーユニット１０２０に対して充電を行うことも可能である。保護ケース２０がユーザーによって独立的に使用される場合、外部電源によって直接的にスマートフォンを充電できる。カバー板モジュール１００と保護ケース２０が組み合わせられた後、ユーザーが外部電源を用いて直接的にスマートフォン及びバッテリーユニット１０２０のいずれか一つ又はその組み合わせに対して充電し、又はバッテリーユニット１０２０によってスマートフォンに対して充電することができる。スマートフォン保護ケース１の態様は本実施例によって制限されない。
【００３４】
図４は本考案に係る他の実施例におけるモバイル電源と保護ケースの模式図である。図４を参照する。本実施例は前記実施例における図２のスマートフォン保護ケース１に類似する。しかしながら、スマートフォン保護ケース１ａ、１との間には相異点があり、その相異点とは、モバイル電源１０がさらに変換ユニット１０２２又はバッテリーユニット１０２０に電気的に接続された表示モジュールＤ１を含むことである。表示モジュールＤ１はバッテリーユニット１０２０の残量情報を表示する。
【００３５】
モバイル電源１０はさらに、バッテリーユニット１０２０に電気的に接続された表示モジュールＤ１を含む。表示モジュールＤ１は、表示ランプ、液晶パネル、又はその他の表示素子によって実現される。表示モジュールＤ１はバッテリーユニット１０２０の電力、電力貯蔵能力、又はバッテリー温度等の情報を表示する。表示モジュールＤ１の態様は本実施例によって制限されない。
【００３６】
従って、市販された一般のモバイル充電装置に比べ、本実施例に係るスマートフォン保護ケース１ａは保護ケース２０でスマートフォンを被覆すると共に、カバー板モジュール１００に内蔵されたバッテリーユニット１０２０によってスマートフォンに対して充電を行う。また、スマートフォン保護ケース１ａの電力が使い終わった場合、ユーザーが外部電源を用いてバッテリーユニット１０２０やスマートフォンに対して充電できる。さらに、本実施例では、カバー板モジュール１００及び保護ケース２０の組合・保護効果によって、スマートフォンの表面とその周辺を被覆・保護できるため、スマートフォンの傷や擦り傷、又は落下の衝突等の問題を回避できる。上記相異点以外にも、当業者によって成された本実施例の操作部分に係る変更も前記実施例とは実質的に等価的ものであり、ここでその詳細を省略する。
【００３７】
上記のように、本考案に係るモバイル電源及びその保護ケースは、電源モジュールの設計を介してモバイル通信装置に給電する。保護ケースはスマートフォンを被覆することによって、モバイル通信装置は優れた保護効果を得られると共に、カバー板モジュールに内蔵されたバッテリーユニットによってスマートフォンに対して充電を行う。カバー板モジュールに内蔵されたバッテリーユニットがユーザーによって独立的に使用される場合、カバー板モジュールは独立したモバイル電源として使用できる。カバー板モジュールと保護ケースを組み合わせてスマートフォン保護ケースとした後、ユーザーは外部電源を用いて直接的にモバイル通信装置及びバッテリーユニットのいずれか一つ又はその組み合わせに対して充電し、又はバッテリーユニットによってモバイル通信装置に対して充電することができる。従って、本考案は確実にモバイル電源及びその保護ケースの操作利便性、効率と品質を上げる効果を奏する。
【００３８】
以上は本考案の好ましい実施例に過ぎず、本考案の実用新案登録請求の範囲を制限するものではない。
【符号の説明】
【００３９】
１、１ａ：スマートフォン保護ケース
９：モバイル通信装置
１０：モバイル電源
１００：カバー板モジュール
１００２：カバー部
１００４：折りたたみ部
１０２：電源モジュール
１０２０：バッテリーユニット
１０２２：変換ユニット
１０２４：スイッチユニット
１０２６：制御ユニット
２０：保護ケース
２００：収容部
２００２：出力インターフェイス
２００４：外部電源インターフェイス
２００６：変換回路
２０１：底板部
Ｃ１：第一接続部
Ｃ２：第二接続部
Ｗ１：幅
Ｄ１：表示モジュール
ＦＰ：フレキシブル回路基板
４０：電源プラグ
【図１】
0003204463.tif 000003
【図２】
0003204463.tif 000004
【図３】
0003204463.tif 000005
【図４】
0003204463.tif 000006